(57)【要約】【課題】  第１光部品と第２光部品とを備え特性劣化が抑制された光機器を提供する。【解決手段】  光機器１は、第１光部品１０，第２光部品２０および接続部３０を備える。第１光部品１０は、Ｍ個の光導波路Ｇ１〜ＧＭ，Ｍ個のポートＰ０,１〜Ｐ０,ＭおよびＭ個のポートＰ１,１〜Ｐ１,Ｍを有し、光導波路Ｇ１〜ＧＭが並列的に配列されており、光導波路ＧｍがポートＰ０,ｍとポートＰ１,ｍとの間で光を導波させる。第２光部品２０は、Ｍ個のポートＰ２,１〜Ｐ２,ＭおよびポートＰ３を有し、ポートＰ２,ｍとポートＰ３との間がピーク波長λｍの帯域透過特性を有し、ピーク波長λ１〜λＭが「λ１＜λ２＜…＜λｍ＜…＜λＭ」なる関係を満たす。接続部３０は、ポートＰ１,ｍとポートＰ２,ｍとを互いに光学的に接続する。Ｍ個の光導波路Ｇ１〜ＧＭに含まれる各光導波路Ｇｎと光導波路Ｇｎ＋１との間に他の何れかの光導波路が存在する。【選択図】  図１
2006330315.tif 000002
【特許請求の範囲】
【請求項１】
Ｍ個の光導波路Ｇ１〜ＧＭ，Ｍ個のポートＰ０,１〜Ｐ０,ＭおよびＭ個のポートＰ１,１〜Ｐ１,Ｍを有し、Ｍ個の光導波路Ｇ１〜ＧＭが並列的に配列されており、光導波路ＧｍがポートＰ０,ｍとポートＰ１,ｍとの間で光を導波させる第１光部品と、
Ｍ個のポートＰ２,１〜Ｐ２,ＭおよびポートＰ３を有し、ポートＰ２,ｍとポートＰ３との間がピーク波長λｍの帯域透過特性を有し、ピーク波長λ１〜λＭが「λ１＜λ２＜…＜λｍ＜…＜λＭ」なる関係を満たす第２光部品と、
前記第１光部品のポートＰ１,ｍと前記第２光部品のポートＰ２,ｍとを互いに光学的に接続する接続部と、
を備え、
前記第１光部品においてＭ個の光導波路Ｇ１〜ＧＭに含まれる各光導波路Ｇｎと光導波路Ｇｎ＋１との間に他の何れかの光導波路が存在する、
ことを特徴とする光機器（ただし、Ｍは５以上の整数、ｍは１以上Ｍ以下の各整数、ｎは１以上(Ｍ−１)以下の各整数）。
【請求項２】
前記第１光部品に含まれる光導波路Ｇｍは、ポートＰ０,ｍとポートＰ１,ｍとの間の透過率が可変である可変光減衰器の主光路をなしている、ことを特徴とする請求項１記載の光機器。
【請求項３】
前記第１光部品において、ポートＰ０,ｍとポートＰ１,ｍとの間の光導波路Ｇｍの光路上に光分岐部が設けられ、この光分岐部により分岐された光のパワーをモニタするモニタ部が設けられている、ことを特徴とする請求項１記載の光機器。
【請求項４】
前記第２光部品は、アレイ導波路型回折格子素子であって、Ｍ個のポートＰ２,１〜Ｐ２,Ｍに入力した光を合波してポートＰ３から出力し、或いは、ポートＰ３に入力した光を分波してＭ個のポートＰ２,１〜Ｐ２,Ｍから出力するものである、ことを特徴とする請求項１記載の光機器。
【請求項５】
前記第２光部品は、ポートＰ２,ｍとポートＰ３との間の光路上に光フィルタを有し、この光フィルタを経て、Ｍ個のポートＰ２,１〜Ｐ２,Ｍに入力した光を合波してポートＰ３から出力し、或いは、ポートＰ３に入力した光を分波してＭ個のポートＰ２,１〜Ｐ２,Ｍから出力するものである、ことを特徴とする請求項１記載の光機器。
【請求項６】
Ｍ個の光導波路Ｇ１〜ＧＭ，Ｍ個のポートＰ０,１〜Ｐ０,ＭおよびＭ個のポートＰ１,１〜Ｐ１,Ｍを有し、Ｍ個の光導波路Ｇ１〜ＧＭが並列的に配列されており、光導波路ＧｍがポートＰ０,ｍとポートＰ１,ｍとの間で光を導波させる第１光部品と、
Ｍ個のポートＰ２,１〜Ｐ２,ＭおよびポートＰ３を有し、ポートＰ２,ｍとポートＰ３との間がピーク波長λｍの帯域透過特性を有し、ピーク波長λ１〜λＭが「λ１＜λ２＜…＜λｍ＜…＜λＭ」なる関係を満たす第２光部品と、
の間でポートＰ１,ｍとポートＰ２,ｍとを互いに光学的に接続する際に、
前記第１光部品においてＭ個の光導波路Ｇ１〜ＧＭに含まれる各光導波路Ｇｎと光導波路Ｇｎ＋１との間に他の何れかの光導波路が存在するよう当該接続を行う、
ことを特徴とする光機器配線方法（ただし、Ｍは５以上の整数、ｍは１以上Ｍ以下の各整数、ｎは１以上(Ｍ−１)以下の各整数）。
【請求項７】
前記第１光部品に含まれる光導波路Ｇｍは、ポートＰ０,ｍとポートＰ１,ｍとの間の透過率が可変である可変光減衰器の主光路をなしている、ことを特徴とする請求項６記載の光機器配線方法。
【請求項８】
前記第１光部品において、ポートＰ０,ｍとポートＰ１,ｍとの間の光導波路Ｇｍの光路上に光分岐部が設けられ、この光分岐部により分岐された光のパワーをモニタするモニタ部が設けられている、ことを特徴とする請求項６記載の光機器配線方法。
【請求項９】
前記第２光部品は、アレイ導波路型回折格子素子であって、Ｍ個のポートＰ２,１〜Ｐ２,Ｍに入力した光を合波してポートＰ３から出力し、或いは、ポートＰ３に入力した光を分波してＭ個のポートＰ２,１〜Ｐ２,Ｍから出力するものである、ことを特徴とする請求項６記載の光機器配線方法。
【請求項１０】
前記第２光部品は、ポートＰ２,ｍとポートＰ３との間の光路上に光フィルタを有し、この光フィルタを経て、Ｍ個のポートＰ２,１〜Ｐ２,Ｍに入力した光を合波してポートＰ３から出力し、或いは、ポートＰ３に入力した光を分波してＭ個のポートＰ２,１〜Ｐ２,Ｍから出力するものである、ことを特徴とする請求項６記載の光機器配線方法。
【発明の詳細な説明】
【技術分野】
【０００１】
本発明は、第１光部品と第２光部品とが互いに光学的に接続された光機器、および、このような光機器において第１光部品と第２光部品との間で光学的な配線を行う方法に関するものである。
【背景技術】
【０００２】
第１光部品と第２光部品とが互いに光学的に接続された光機器として、例えば特許文献１に開示されたものが知られている。この文献に開示された光機器は、第１光部品としての可変光減衰器（ＶＯＡ: Variable Optical Attenuator）のアレイと、第２光部品としてのアレイ導波路型回折格子素子（ＡＷＧ: Arrayed-Waveguide Grating）とを備えている。そして、この光機器では、ＡＷＧの一方の側にある各ポートと個々の可変光減衰器とが１対１に光学的に接続されている。
【特許文献１】特開２００２−６２４４３号公報
【発明の開示】
【発明が解決しようとする課題】
【０００３】
本願発明者は、ＡＷＧ単体の特性と比較すると上記構成の光機器の特性が悪いことを見出し、そして、その原因を解明するとともに、このような問題を解決することができる構成および方法を発明した。すなわち、本発明は、第１光部品と第２光部品とを備えていて特性劣化が抑制された光機器および光機器配線方法を提供することを目的とする。
【課題を解決するための手段】
【０００４】
本発明に係る光機器は、(1) Ｍ個の光導波路Ｇ１〜ＧＭ，Ｍ個のポートＰ０,１〜Ｐ０,ＭおよびＭ個のポートＰ１,１〜Ｐ１,Ｍを有し、Ｍ個の光導波路Ｇ１〜ＧＭが並列的に配列されており、光導波路ＧｍがポートＰ０,ｍとポートＰ１,ｍとの間で光を導波させる第１光部品と、(2) Ｍ個のポートＰ２,１〜Ｐ２,ＭおよびポートＰ３を有し、ポートＰ２,ｍとポートＰ３との間がピーク波長λｍの帯域透過特性を有し、ピーク波長λ１〜λＭが「λ１＜λ２＜…＜λｍ＜…＜λＭ」なる関係を満たす第２光部品と、(3) 第１光部品のポートＰ１,ｍと第２光部品のポートＰ２,ｍとを互いに光学的に接続する接続部と、を備えることを特徴とする。更に、本発明に係る光機器は、第１光部品においてＭ個の光導波路Ｇ１〜ＧＭに含まれる各光導波路Ｇｎと光導波路Ｇｎ＋１との間に他の何れかの光導波路が存在することを特徴とする。また、本発明に係る光機器配線方法は、上記のような第１光部品と上記のような第２光部品との間でポートＰ１,ｍとポートＰ２,ｍとを互いに光学的に接続する際に、第１光部品においてＭ個の光導波路Ｇ１〜ＧＭに含まれる各光導波路Ｇｎと光導波路Ｇｎ＋１との間に他の何れかの光導波路が存在するよう当該接続を行うことを特徴とする。ただし、Ｍは５以上の整数であり、ｍは１以上Ｍ以下の各整数であり、ｎは１以上(Ｍ−１)以下の各整数である。
【０００５】
第１光部品に含まれる光導波路Ｇｍは、ポートＰ０,ｍとポートＰ１,ｍとの間の透過率が可変である可変光減衰器の主光路をなしているのが好適である。第１光部品において、ポートＰ０,ｍとポートＰ１,ｍとの間の光導波路Ｇｍの光路上に光分岐部が設けられ、この光分岐部により分岐された光のパワーをモニタするモニタ部が設けられているのが好適である。第２光部品は、アレイ導波路型回折格子素子であって、Ｍ個のポートＰ２,１〜Ｐ２,Ｍに入力した光を合波してポートＰ３から出力し、或いは、ポートＰ３に入力した光を分波してＭ個のポートＰ２,１〜Ｐ２,Ｍから出力するものであるのが好適である。また、第２光部品は、ポートＰ２,ｍとポートＰ３との間の光路上に光フィルタを有し、この光フィルタを経て、Ｍ個のポートＰ２,１〜Ｐ２,Ｍに入力した光を合波してポートＰ３から出力し、或いは、ポートＰ３に入力した光を分波してＭ個のポートＰ２,１〜Ｐ２,Ｍから出力するものであるのが好適である。
【発明の効果】
【０００６】
本発明によれば、第１光部品と第２光部品とを組み合わせても特性劣化を抑制することができる。
【発明を実施するための最良の形態】
【０００７】
以下、添付図面を参照して、本発明を実施するための最良の形態を詳細に説明する。なお、図面の説明において同一の要素には同一の符号を付し、重複する説明を省略する。
【０００８】
図１は、本実施形態に係る光機器１の概念図である。この図に示されるように、本実施形態に係る光機器１は、第１光部品１０，第２光部品２０および接続部３０を備える。
【０００９】
第１光部品１０は、Ｍ個の光導波路Ｇ１〜ＧＭ，Ｍ個のポートＰ０,１〜Ｐ０,ＭおよびＭ個のポートＰ１,１〜Ｐ１,Ｍを有する。Ｍ個の光導波路Ｇ１〜ＧＭは並列的に配列されている。光導波路ＧｍはポートＰ０,ｍとポートＰ１,ｍとの間で光を導波させる。Ｍは５以上の整数であり、ｍは１以上Ｍ以下の各整数である。なお、図面ではＭの値を８として図示されている。光導波路Ｇｍは、他の構成要素とともに機能性部品を構成している場合もある。この第１光部品１０は光集積回路であるのが好適である。
【００１０】
第２光部品２０は、Ｍ個のポートＰ２,１〜Ｐ２,ＭおよびポートＰ３を有する。ポートＰ２,ｍとポートＰ３との間は、ピーク波長λｍの帯域透過特性Ｔｍ(λ)を有し、バンドパスフィルタとして作用し得る。また、図２に示されるように、ピーク波長λ１〜λＭは「λ１＜λ２＜…＜λｍ＜…＜λＭ」なる関係を満たす。この第２光部品２０も光集積回路であるのが好適である。
【００１１】
接続部３０は、第１光部品１０のポートＰ１,ｍと第２光部品２０のポートＰ２,ｍとを互いに光学的に接続するものである。この接続部３０は、光導波路により構成されるのが好適であり、特に光ファイバにより構成されるのが好適である。
【００１２】
そして、本実施形態では、接続部３０により第２光部品２０と接続された第１光部品１０において、Ｍ個の光導波路Ｇ１〜ＧＭに含まれる各光導波路Ｇｎと光導波路Ｇｎ＋１との間に他の何れかの光導波路が存在する。ｎは１以上(Ｍ−１)以下の各整数である。図１に示された一例では、第１光部品１０において並列配置された８個の光導波路Ｇ１〜Ｇ８は、Ｇ１，Ｇ５，Ｇ２，Ｇ６，Ｇ３，Ｇ７，Ｇ４，Ｇ８の順に配列されている。
【００１３】
図３は、本実施形態に係る光機器１の動作を説明するための図である。同図（ａ）は本実施形態に係る光機器１の一部構成を示し、同図（ｂ）は比較例の光機器２の一部構成を示す。この図には、第１光部品１０の光導波路Ｇｎおよび光導波路Ｇｎ＋１ならびに第２光部品２０のポートＰ２,ｎおよびポートＰ２,ｎ＋１を中心にして、光機器の一部構成が示されている。
【００１４】
同図（ｂ）に示される比較例の光機器２では、第１光部品１０において光導波路Ｇｎと光導波路Ｇｎ＋１との間に他の光導波路は存在しない。したがって、第１光部品１０のポートＰ０,ｎに波長λｎの光が入力すると、その光は光導波路Ｇｎを導波してポートＰ１,ｎから出力されるとともに、光導波路Ｇｎを導波する間に光の一部が隣の光導波路Ｇｎ＋１に漏洩して、その漏洩した一部の光は光導波路Ｇｎ＋１を導波してポートＰ１,ｎ＋１から出力される場合がある。
【００１５】
比較例の光機器２では、第１光部品１０のポートＰ１,ｎから出力された光は、第２光部品２０のポートＰ２,ｎに入力し、透過特性Ｔｎ(λ)に応じた透過率でポートＰ３から出力される。また、第１光部品１０のポートＰ１,ｎ＋１から出力された光は、第２光部品２０のポートＰ２,ｎ＋１に入力し、透過特性Ｔｎ＋１(λ)に応じた透過率でポートＰ３から出力される。図２に示されるように、透過特性Ｔｎ(λ)のピーク波長λｎにおいて、透過特性Ｔｎ＋１(λ)における透過率は小さくない。
【００１６】
したがって、比較例の光機器２では、第２光部品２０のポートＰ２,ｎおよびＰ２,ｎ＋１それぞれに入力した波長λｎの光は、ポートＰ３から出力される際に互いに干渉する。しかも、一般に、第１光部品１０のポートＰ０,ｎに入力する光の波長は必ずしも安定してはおらず幾らか変動するので、ポートＰ３から出力される際に干渉して出力される光のパワーが変動する。このことから、比較例の光機器２では、第２光部品２０のポートＰ３から出力される光のパワーが不安定となり、光機器２の全体としての特性が悪くなる。
【００１７】
これに対して、同図（ａ）に示される本実施形態に係る光機器１では、第１光部品１０において光導波路Ｇｎと光導波路Ｇｎ＋１との間に少なくとも１つの光導波路Ｇｋが存在する。したがって、第１光部品１０のポートＰ０,ｎに波長λｎの光が入力すると、その光は光導波路Ｇｎを導波してポートＰ１,ｎから出力されるとともに、光導波路Ｇｎを導波する間に光の一部が隣の光導波路Ｇｋに漏洩して、その漏洩した一部の光は光導波路Ｇｋを導波してポートＰ１,ｋから出力される。光導波路Ｇｎ＋１への光の漏洩は殆ど生じない。ここで、ｋは、１以上Ｍ以下の整数であって、ｎ−１，ｎ，ｎ＋１，ｎ＋２のいずれでもない整数を表す。
【００１８】
本実施形態に係る光機器１では、第１光部品１０のポートＰ１,ｎから出力された光は、第２光部品２０のポートＰ２,ｎに入力し、透過特性Ｔｎ(λ)に応じた透過率でポートＰ３から出力される。第１光部品１０のポートＰ１,ｎ＋１から出力された光は、第２光部品２０のポートＰ２,ｎ＋１に入力し、透過特性Ｔｎ＋１(λ)に応じた透過率でポートＰ３から出力される。また、第１光部品１０のポートＰ１,ｋから出力された光は、第２光部品２０のポートＰ２,ｋに入力し、透過特性Ｔｋ(λ)に応じた透過率でポートＰ３から出力される。図２に示されるように、透過特性Ｔｎ(λ)のピーク波長λｎにおいて、透過特性Ｔｎ＋１(λ)における透過率は小さくないものの、透過特性Ｔｋ(λ)における透過率は極めて小さい。
【００１９】
したがって、本実施形態に係る光機器１では、第１光部品１０において隣の光導波路へ光が漏洩したとしても、その漏洩した光が第２光部品２０のポートＰ３まで達する割合は極めて小さい。このことから、本実施形態に係る光機器１では、第２光部品２０に第１光部品１０を接続したことに因る特性劣化が抑制されたものとなる。
【００２０】
図４は、本実施形態に係る光機器１の特性と比較例の光機器２の特性とを対比して示す図である。同図（ａ）は本実施形態に係る光機器１の特性を示し、同図（ｂ）は比較例の光機器２の特性を示す。この図に示されるように、第１光部品１０のポートＰ０,ｎに入力する光の波長が変動したときに、比較例の光機器２では透過率が不安定となるのに対して、本実施形態に係る光機器１では透過率が安定となっている。
【００２１】
次に、本実施形態に係る光機器１に含まれる第１光部品１０および第２光部品２０それぞれの具体的な構成例について説明する。図５〜図７それぞれは、第１光部品１０の具体的な構成例を示す図である。これらの図には、１組の光導波路Ｇｍ，ポートＰ０,ｍおよびポートＰ０,ｍが代表して示されている。また、図８および図９それぞれは、第２光部品２０の具体的な構成例を示す図である。
【００２２】
図５に第１光部品１０の一構成例として示される第１光部品１０Ａでは、光導波路Ｇｍは、ポートＰ０,ｍとポートＰ１,ｍとの間の透過率が可変である可変光減衰器の主光路をなしており、マッハツェンダ干渉計の構成を有していて、当該マッハツェンダ干渉計における２つの分岐光路それぞれに温度調整部１１，１２が設けられている。温度調整部１１，１２は、例えばヒータやペルチエ素子であり、分岐光路の温度を設定することで、分岐光路の実効屈折率を調整する。この温度設定により、ポートＰ０,ｍとポートＰ１,ｍとの間の透過率が可変となる。
【００２３】
図６に第１光部品１０の他の構成例として示される第１光部品１０Ｂでは、光導波路Ｇｍは、ポートＰ０,ｍとポートＰ１,ｍとの間の透過率が可変である可変光減衰器の主光路をなしており、途中の分岐部を挟んで温度調整部１３，１４が設けられている。温度調整部１３，１４は、例えばヒータやペルチエ素子であり、分岐部における温度勾配を設定することで、分岐比を調整する。この温度設定により、ポートＰ０,ｍとポートＰ１,ｍとの間の透過率が可変となる。
【００２４】
図７に第１光部品１０の更に他の構成例として示される第１光部品１０Ｃでは、ポートＰ０,ｍとポートＰ１,ｍとの間の光導波路Ｇｍの光路上に光分岐部１５が設けられ、この光分岐部１５により分岐された光のパワーをモニタするモニタ部１６が設けられている。これら光分岐部１５およびモニタ部１６は、光導波路Ｇｍが形成された基板に埋め込まれている。光分岐部１５は、ポートＰ０,ｍに入力して光導波路Ｇｍを導波してきた光の一部を反射させ、残部を透過させてポートＰ１,ｍから出力させる。モニタ部１６は、例えばフォトダイオードであり、光分岐部１５により分岐されて到達した光を受光して、その受光量に応じた電気信号を出力する。
【００２５】
図８に第２光部品２０の一構成例として示される第２光部品２０Ａは、アレイ導波路型回折格子素子（ＡＷＧ）であって、Ｍ個のポートＰ２,１〜Ｐ２,Ｍに入力した光を合波してポートＰ３から出力し、或いは、ポートＰ３に入力した光を分波してＭ個のポートＰ２,１〜Ｐ２,Ｍから出力する。ＡＷＧである第２光部品２０Ａは、第１スラブ導波路２１、第２スラブ導波路２２およびアレイ導波路２３を有している。アレイ導波路２３は、第１スラブ導波路２１と第２スラブ導波路２２との間に設けられ、光路長が異なる複数の光導波路からなる。第１スラブ導波路２１は、光導波路を介してＭ個のポートＰ２,１〜Ｐ２,Ｍと接続されている。第２スラブ導波路２２は、光導波路を介してポートＰ３と接続されている。ポートＰ２,ｍとポートＰ３との間の透過特性は、図２に示されるような透過特性Ｔｍ(λ)を有している。
【００２６】
図９に第２光部品２０の他の構成例として示される第２光部品２０Ｂは、ポートＰ２,ｍとポートＰ３との間の光路上に光フィルタＦｍを有し、この光フィルタＦｍを経て、Ｍ個のポートＰ２,１〜Ｐ２,Ｍに入力した光を合波してポートＰ３から出力し、或いは、ポートＰ３に入力した光を分波してＭ個のポートＰ２,１〜Ｐ２,Ｍから出力する。光フィルタＦｍは、図２に示されるような透過特性Ｔｍ(λ)を有している。この光フィルタＦｍは、好適には誘電体多層膜フィルタであり、また、ポートＰ２,ｍとポートＰ３との間の光導波路に形成された回折格子であってもよい。
【００２７】
以上のように、本実施形態に係る光機器１は、例えば図５〜図７の何れかに示された構成の第１光部品１０と、例えば図８または図９に示された構成の第２光部品２０とを備えていて、接続部３０により第２光部品２０と接続された第１光部品１０において、Ｍ個の光導波路Ｇ１〜ＧＭに含まれる各光導波路Ｇｎと光導波路Ｇｎ＋１との間に他の何れかの光導波路が存在する。また、本実施形態に係る光機器配線方法では、第１光部品１０と第２光部品２０との間でポートＰ１,ｍとポートＰ２,ｍとを互いに光学的に接続する際に、第１光部品１０においてＭ個の光導波路Ｇ１〜ＧＭに含まれる各光導波路Ｇｎと光導波路Ｇｎ＋１との間に他の何れかの光導波路が存在するよう当該接続を行う。
【００２８】
このことから、本実施形態に係る光機器１（および、本実施形態に係る光機器配線方法により配線された光機器）では、第２光部品２０に第１光部品１０を接続したことに因る特性劣化が抑制されたものとなる。なお、第１光部品１０は、図５〜図７に示された構成のものに限定されない。また、第２光部品２０は、図８，図９に示された構成のものに限定されない。
【００２９】
次に、本発明に係る光機器の他の実施形態について説明する。図１０は、他の実施形態に係る光機器２の概念図である。図１〜図９で説明した実施形態に係る光機器１では、第２光部品２０，２０Ａ，２０ＢのＭ個のポートＰ２,１〜Ｐ２,Ｍが順に配列されていて、ポートＰ２,ｍとポートＰ３との間がピーク波長λｍの帯域透過特性Ｔｍ(λ)を有するものであっって、ピーク波長λ１〜λＭが「λ１＜λ２＜…＜λｍ＜…＜λＭ」なる関係を満たすものであった。
【００３０】
これに対して、図１０に示される光機器２は、第１光部品１０，第２光部品２０Ｃおよび接続部３０Ｃを備えている。そして、第２光部品２０Ｃは、Ｍ個のポートＰ２,１〜Ｐ２,Ｍが Ｐ２,１，Ｐ２,５，Ｐ２,２，Ｐ２,６，Ｐ２,３，Ｐ２,７，Ｐ２,４，Ｐ２,８ の順に配列されていて、ポートＰ２,ｍとポートＰ３との間の光路上に光フィルタＦｍを有し、この光フィルタＦｍを経て、Ｍ個のポートＰ２,１〜Ｐ２,Ｍに入力した光を合波してポートＰ３から出力し、或いは、ポートＰ３に入力した光を分波してＭ個のポートＰ２,１〜Ｐ２,Ｍから出力する。光フィルタＦｍは、図２に示されるような透過特性Ｔｍ(λ)を有している。また、第１光部品１０のポートＰ１,ｍと第２光部品２０ＣのポートＰ２,ｍとを互いに光学的に接続する接続部３０Ｃは、第１光部品１０および第２光部品２０Ｃそれぞれのポートの並び順に従って順番に接続する。このようにすることによっても、接続部３０Ｃにより第２光部品２０Ｃと接続された第１光部品１０において、Ｍ個の光導波路Ｇ１〜ＧＭに含まれる各光導波路Ｇｎと光導波路Ｇｎ＋１との間に他の何れかの光導波路が存在することができる。なお、ここでも、Ｍは５以上の整数であり、ｍは１以上Ｍ以下の各整数であり、ｎは１以上(Ｍ−１)以下の各整数であり、Ｍの値を８とした。
【図面の簡単な説明】
【００３１】
【図１】本実施形態に係る光機器１の概念図である。
【図２】本実施形態に係る光機器１に含まれる第２光部品２０の透過特性Ｔ(λ)を示す図である。
【図３】本実施形態に係る光機器１の動作を説明するための図である。
【図４】本実施形態に係る光機器１の特性と比較例の光機器２の特性とを対比して示す図である。
【図５】第１光部品１０の一構成例を示す図である。
【図６】第１光部品１０の他の構成例を示す図である。
【図７】第１光部品１０の更に他の構成例を示す図である。
【図８】第２光部品２０の一構成例を示す図である。
【図９】第２光部品２０の他の構成例を示す図である。
【図１０】他の実施形態に係る光機器２の概念図である。
【符号の説明】
【００３２】
１，２…光機器、１０，１０Ａ，１０Ｂ，１０Ｃ…第１光部品、２０，２０Ａ，２０Ｂ，２０Ｃ…第２光部品、３０，３０Ｃ…接続部。
【図１】
2006330315.tif 000003
【図２】
2006330315.tif 000004
【図３】
2006330315.tif 000005
【図４】
2006330315.tif 000006
【図５】
2006330315.tif 000007
【図６】
2006330315.tif 000008
【図７】
2006330315.tif 000009
【図８】
2006330315.tif 000010
【図９】
2006330315.tif 000011
【図１０】
2006330315.tif 000012